(57)【特許請求の範囲】
【請求項１】
下側の長辺中央を額に当てて頭に巻き、後頭部で一部を結び合わせることにより頭に被ることが可能な長方形の繊維製品であって、
頭を覆う部分に相当する頭覆部と、
下側の長辺中央を額に当てて頭に巻き、後頭部で一部を結び合わせた場合に形成される結び目に相当する結び目相当部を含むように、前記頭覆部との境界の上端が下端よりも長辺方向の内側に位置する形状で前記頭覆部に隣接する隣接部とを有し、
前記隣接部の生地を前記頭覆部の生地よりも薄く又は軽くしたことを特徴とする繊維製品。
【請求項２】
請求項１記載の繊維製品において、
前記隣接部は、前記頭覆部の両隣に形成し、
二つの前記隣接部は、略ハの字形状であることを特徴とする繊維製品。
【発明の詳細な説明】
【技術分野】
【０００１】
本発明は、頭を覆って結び合わせることにより頭に被ることが可能な長方形の繊維製品に関する。
【背景技術】
【０００２】
このような繊維製品について特許文献１には、長方形状のタオルの後頭部の内２箇所をマジックテープ（登録商標）・ボタン・紐等の留め合わせる事の出来る部材を付け、結び合わせる部分の生地を薄くし、額部にマーク・ロゴ・紋章・文字・キャラクター等のデザインを刺繍・プリント・印刷・ジャガード織り等で入れた事を特徴とする帽子にもなるタオルが開示されている。
【０００３】
【特許文献１】実用新案登録第３１３２９３４号
【発明の開示】
【発明が解決しようとする課題】
【０００４】
しかし、上記のタオル（繊維製品）では、中央に位置する生地の厚い部分と生地の薄い部分との境界が短辺と平行なので、すなわち生地の薄い部分が矩形又は正方形なので、タオルを頭に巻いて結び合わせて形成される結び目に生地の厚い部分が入り込んでしまうことがあった。このため、タオルを頭に覆って結び合わせることにより頭に被る場合に、結び難い、結び目が解け易い等の不都合があった。
【０００５】
また、生地の厚い部分が入り込んでしまうことを防ぐために生地の薄い部分を大きくすることも考えられるが、生地の薄い部分が矩形又は正方形なので、生地の薄い部分の面積を大きくするとしたら生地の厚い部分との境界をタオルの長辺方向の内側に向かって平行移動させるしか無い。このため、生地の薄い部分の面積が必要以上に大きくなり、頭を覆う部分に相当する生地の厚い頭覆部の面積が小さくなってしまうという不都合な点があった。なお、生地を薄くすると、生地が厚い場合よりも結び易くなるとともに、結び目も解け難くなるが、生地を軽くしても同様の効果が得られる。
【０００６】
上記点に鑑み本発明の目的は、結び難い、結び目が解け易い等の不都合を解消し、かつ生地の厚い又は重い頭覆部を大きく取ることのできる繊維製品を提供することにある。
【課題を解決するための手段】
【０００７】
本発明に係る繊維製品は、
下側の長辺中央を額に当てて頭に巻き、後頭部で一部を結び合わせることにより頭に被ることが可能な長方形の繊維製品であって、
頭を覆う部分に相当する頭覆部と、
下側の長辺中央を額に当てて頭に巻き、後頭部で一部を結び合わせた場合に形成される結び目に相当する結び目相当部を含むように、前記頭覆部との境界の上端が下端よりも長辺方向の内側に位置する形状で前記頭覆部に隣接する隣接部とを有し、
前記隣接部の生地を前記頭覆部の生地よりも薄く又は軽くしたことを特徴とする。
【０００８】
長方形の繊維製品を頭に覆って結び合わせることにより長方形の繊維製品を頭に被る場合は、繊維製品の下側の長辺中央を額に当てて頭に巻き、後頭部で繊維製品の一部（例えば、短辺付近又はその長辺方向内側の部分）を結び合わせた場合である。この場合に、結び目相当部の上端が下端よりも長辺方向の内側になるように斜めになること、すなわち、結び目相当部と、結び目相当部の長辺方向の内側に位置し、かつ前記結び目相当部に隣接する他の部分との境界は、短辺と平行にならずに、上端が下端よりも長辺方向の内側になるように斜めになることを本願発明者は見出した。これは、長方形の繊維製品を頭に巻く場合において、例えば、額に当てて後頭部付近に回すのに必要な下側の長辺上の長さが、頭の後に回り込む上側の長辺上の長さよりも長くなることに起因する。
【０００９】
そこで、本発明に係る繊維製品は、頭を覆う部分に相当する頭覆部と、下側の長辺中央を額に当てて頭に巻き、後頭部で一部を結び合わせた場合に形成される結び目に相当する結び目相当部を含むように、前記頭覆部との境界の上端が下端よりも長辺方向の内側に位置する形状で前記頭覆部に隣接する隣接部とを有し、前記隣接部の生地を前記頭覆部の生地よりも薄く又は軽くした。本発明に係る繊維製品では、結び目相当部の形状に合わせて、特に上記の結び目相当部と他の部分との境界の形状に合わせて、隣接部と頭覆部を形成し、隣接部の生地を薄く又は軽くした。これにより、結び目相当部の生地を薄く又は軽くでき、生地の厚い又は重い部分が結び目に入り込むことを防止できる。また、生地の薄い又は軽い部分を矩形や正方形に形成した場合よりも、生地の薄い又は軽い部分の面積を小さくでき、生地の厚い又は重い頭覆部の面積を大きく取ることが出来る。以上より、本発明に係る繊維製品は、結び難い、結び目が解け易い等の不都合を解消し、かつ生地の厚い又は重い頭覆部を大きく取ることのできる繊維製品となる。
【００１０】
また、本発明に係る繊維製品は、
前記隣接部は、前記頭覆部の両隣に形成し、
二つの前記隣接部は、略ハの字形状であることを特徴とする。
【００１１】
結び目相当部は繊維製品を広げた場合に当然二つある。中央部の両隣に隣接部を形成することにより、生地を薄く又は軽くした結び目相当部は二つあることになり、片方に生地を薄く又は軽くした隣接部を設けた場合に比べて、繊維製品が結び易いとともに結び目が解け難くなる。さらに、結び目相当部は、繊維製品を広げた場合に略ハの字状になることを本願発明者は見出した。隣接部が略ハの字状になれば、この隣接部を結び目相当部の形状に近付けることが出来る。
【発明の効果】
【００１２】
本発明に係る繊維製品によれば、結び難い、結び目が解け易い等の不都合を解消し、かつ生地の厚い又は重い頭覆部を大きく取ることができる。
【発明を実施するための最良の形態】
【００１３】
本発明の実施形態の一例について図面を参照しながら説明する。なお、図面において同様のものや対応するもの、総称できるものについては同じ符号を付して説明する。本発明は、下記の実施形態にのみ限定されるものではない。本発明の要旨を逸脱しない範囲で実施形態に変更を加えることが出来るのはもちろんである。
【００１４】
（第一実施形態）
図１は第一実施形態に係る繊維製品の一例を示す図である。図２は第一実施形態に係る繊維製品の一例で頭を覆って結び合わせることによりこの繊維製品を頭に被った状態図であり、（ａ）は正面から見た図、（ｂ）は後から見た図、（ｃ）は横から見た図、（ｄ）は斜め後から見た図である。
【００１５】
頭を覆って結び合わせることにより（すなわち、下側の長辺中央を額に当てて頭に巻き、後頭部で一部を結び合わせることにより）頭に被ることが可能な長方形（本発明において、略長方形も含む）の繊維製品１０は、頭を覆う部分に相当する（本発明において略相当する場合も含む）頭覆部１３と、頭を覆って結び合わせた場合に形成される結び目５０に相当する（本発明において略相当する場合も含む）結び目相当部１５ｋを含むように、頭覆部１３との境界１３ｒの上端１５ａが下端１５ｂよりも長辺方向の内側に位置する形状で頭覆部１３に隣接する隣接部１５とを有し、隣接部１５の生地を頭覆部１３の生地よりも薄く又は軽くした。
【００１６】
隣接部１５は頭覆部１３の両隣に二つ形成される。生地を薄くした隣接部１５は一つでも良いが、生地を薄く又は軽くした結び目相当部１５ｋが二つあることにより、片方に生地を薄く又は軽くした隣接部１５を設けた場合に比べて、繊維製品１０が結び易いとともに解け難くなる。また、隣接部１５は、略ハの字形状に形成されている。そして、繊維製品１０は、隣接部１５よりも生地の厚い又は重い端部１７を有する。頭覆部１３は、長辺方向（長辺と平行の方向。矢印１０ｋ参照。）における中央に位置する。なお、図１での隣接１５内の点線は、生地が薄い又は軽いことを示すものである。
【００１７】
頭覆部１３、隣接部１５、端部１７は、それぞれ、パイル織物（例えばタオル地）、布、ガーゼ、不織布等の繊維製部材で適宜形成される。そして、繊維製品１０は、例えば一枚もののフェイスタオル、スポーツタオル等の綿等で形成されたタオル等の繊維製品として長方形（略長方形を含む）に形成される。この場合、例えば頭覆部１３及び端部１７は綿製のタオル地で、薄くした又は軽くした隣接部１５がタオル地のない綿製の布地又は軽い綿製のタオル地となる。繊維製品１０が例えばタオル等の場合に形成される縁の部分（例えばタオルの長辺及び短辺の耳等）は、図において適宜省略している。頭覆部１３、隣接部１５、端部１７、結び目相当部１５ｋは、縁の部分を適宜含む。生地を薄く又は軽くする、厚く又は重くするとは、縁の部分まで薄く又は軽くする、厚く又は重くすることを含まなくても良い。なお、図２及び図３については、短辺の耳のみ表現した。
【００１８】
繊維製品１０の大きさは適宜決定できるが、長辺１０ａ及び１０ｂの長さは、頭囲より長くする必要があり、少なくとも、隣接部１５を結び合わせることにより頭に被ることが出来る長さにする。繊維製品１０の大きさは、一般的なフェイスタオル、スポーツタオル等の大きさで、例えば８５ｃｍ×３４ｃｍ等である。
【００１９】
隣接部１５を、頭覆部１３の生地よりも薄い又は軽い生地で頭覆部１３との境界の上端１５ａが下端１５ｂよりも長辺方向の内側に位置する形状に形成すると、頭覆部１３は、下辺１３ｂが上辺１３ａよりも長い形状で、例えば上辺１３ａよりも下辺１３ｂが長い略台形（台形の他、側辺、すなわち境界１３ｒが曲線、折れ線等となる形も含む）となる。そして、頭覆部１３には、頭頂被覆部１３ｑと、側頭被覆部１３ｐとが形成される。なお、頭覆部１３内の点線は、頭頂被覆部１３ｑと、側頭被覆部１３ｐとの境界を示す。
【００２０】
頭頂被覆部１３ｑは、繊維製品１０を頭に被った場合に主に頭頂部を含む頭の一部を覆う部分である。側頭被覆部１３ｐは、繊維製品１０を頭に被った場合に主に側頭部を含む頭の一部を覆う部分である。生地の厚い又は重い部分が入り込んでしまうことを防ぐために生地の薄い又は軽い部分の面積を大きくしようとして、生地の薄い又は軽い部分と生地の厚い又は重い部分との境界をタオルの長辺方向の内側に向かって平行移動させるとすると、側頭被覆部１３ｐが形成されなくなる。なお、生地の厚い又は重い部分が入り込んでしまうと、この厚い又は重い生地が硬い等の理由により、結び難く、結び目が解け易くなる。この場合、側頭部を含む頭の一部を覆う部分が生地の薄い又は軽い部分になってしまうので、頭を覆う生地の厚い又は重い部分の面積が小さくなってしまう。頭を覆う生地の厚い又は重い部分の面積が小さくなると、外観が損なわれたり、デザインに制約が出たり、肌触りや被り心地が悪くなったり、汗の吸収が悪くなったりする等のタオル等の繊維製品１０本来の機能を損なってしまう場合がある。側頭被覆部１３ｐが形成されると、この部分の生地は厚いので前記の不都合を解消できる。なお、上辺１３ａが短くなると、側頭被覆部１３ｐが大きくなり、頭頂被覆部１３ｑが小さくなる。
【００２１】
下辺１３ｂ（下底）の長さは、例えば、下辺の長さは４５ｃｍから６０ｃｍの間の長さ、特に５０ｃｍ前後が良い。下辺１３ｂの長さが長いと、頭覆部１３は結び目に食い込んでしまうため、結びにくくなってしまう。下辺１３ｂの長さは、例えば頭囲等の頭部の周長よりもやや短い長さ（図２参照。例えば５ｃｍから８ｃｍ短い長さ、特に６ｃｍ前が望ましい。）が望ましい。
【００２２】
上辺１３ａ（上底）の長さは、下辺１３ｂよりも短く、例えば、頭に巻いて結び合わせるために繊維製品１０を両手で握って、繊維製品１０の下側長辺の中央を額に当て、後頭部に手を回した際の前記両手で握った位置の間の長さ程度にすると良い。上辺１３ａは、短辺１０ｃ及び１０ｄの長さによって変化し、短辺１０ｃ及び１０ｄの長さ（繊維製品１０の幅の長さ）が長いと、上辺１３ａは短くなる。繊維製品１０の幅の長さが、３４ｃｍであれば、例えば上辺１３ａは３０ｃｍ程度になる。ここで、上辺端部（すなわち上端１５ａ）と下辺端部（すなわち下端１５ｂ）とを直線で結んだ線（図１では台形の側辺１３ｒ）と、下辺１３ｂとの間の角度が６５度から７５度、特に７０度程度が望ましい。
【００２３】
隣接部１５は、結び目相当部１５ｋを含む。隣接部１５内の二点鎖線は結び目相当部１５ｋの範囲を示す。結び目相当部１５は、上端が下端よりも長辺方向の内側になるように斜めになる。すなわち、結び目相当部１５と、結び目相当部の長辺方向の内側に位置し、かつ前記結び目相当部に隣接する他の部分との境界は、短辺と平行にならずに、上端が下端よりも長辺方向の内側になるように斜めになる。これは、図２のように、繊維製品１０を頭に被る場合において、例えば、額に当てて後頭部付近に回すのに必要な下辺１３ｂの長さが、頭の後に回り込む上辺１３ａの長さよりも長くなることに起因する。
【００２４】
結び目相当部１５ｋは、繊維製品１０を広げた場合に略ハの字状になるので、隣接部１５が略ハの字状になれば、この隣接部１５を結び目相当部１５ｋの形状に近付けることが出来る。そして、生地の薄い又は軽い部分の面積を少なくすることが出来、外観が損なわれたり、デザインに制約が出てしまう等の不都合を解消できる。また、少なくとも結び目相当部１５ｋの生地を薄く又は軽く出来るので、結び易く、ほどけ難くなる。なお、個人差を考慮して隣接部１５は、結び目相当部１５ｋよりも幅（長辺方向の長さ）を広く（例えば１５ｃｍ程度）取ることが望ましいが、隣接部１５は結び目相当部１５ｋを含んで（両者が略一致する場合も含む）いれば良い。
【００２５】
また、二つの隣接部１５は略ハの字形状に形成され、繊維製品１０が隣接部１５よりも生地の厚い又は重い端部１７を有することにより、生地の厚い又は重い部分（端部１７）が結び目に引っかかるようになるので、結び目がよりほどけ難くなる。
【００２６】
繊維製品１０では、結び目相当部１５ｋの形状に合わせて、特に上記の結び目相当部１５ｋと他の部分との境界の形状に合わせて、隣接部１５と頭覆部１３を形成し、隣接部１３の生地を薄く又は軽くしている。これにより、結び目相当部１５ｋの生地を薄く又は軽くでき、図２のように生地の厚い又は重い部分が結び目に入り込むことを防止できる。繊維製品１０では、境界１５ｒ及び境界１３ｒに囲まれた隣接部１５内に結び目５０が形成されている。これは、隣接部１５が、結び目相当部１５ｋを含むように、頭覆部１３との境界１３ｒの上端１５ａが下端１５ｂよりも長辺方向の内側に位置する形状で頭覆部１３に隣接し、かつ略ハの字状に形成されているからである。図２では、境界１５ｒ及び境界１３ｒは、点線で表現されている。
【００２７】
また繊維製品１０では、生地の薄い又は軽い部分を矩形や正方形に形成した場合よりも、生地の薄い又は軽い部分の面積を小さくでき、生地の厚い頭覆部１３の面積を大きく取ることが出来る。繊維製品１０は、結び難い及び結び目が解け易い等の不都合を解消し、かつ生地の厚い又は重い頭覆部を大きく取ることができる。
【００２８】
下辺１３ｂの中点と、下側の長辺１０ｂの中点とを一致させると良い。上辺１３ａの中点と、上側の長辺１０ａの中点とを一致させると良い。上辺１３ａと下辺１３ｂの中点をお互い対応させる（長辺方向において一致させる）とよい。また、人間の頭部は、当然個人差があるため、上辺１３ａ又は下辺１３ｂの長さは、ある集団の平均的な長さ等にするとよい。個人差を考慮して、下辺１３ｂの長さを短めにしておけば、人によって結び目に生地の厚い部分が入り込むんでしまうということを防止できる。
【００２９】
隣接部１５には結び目相当部１５ｋが含まれる。結び目相当部１５ｋの位置は、被り方、頭囲等の条件により変化する。隣接部１５は、結び目相当部１５ｋが出来る位置の変化を考慮して余裕を持った幅（長辺方向の長さ）とするとよい。隣接部１５の大きさや、上辺１３ａの長さは、下辺１３ｂの長さは、隣接部１５に結び目相当部１５ｋが含まれるように、かつ上記で説明した条件を適宜満たすように決定する。
【００３０】
生地（特に結び目相当部１５ｋ、隣接部１５の生地）が薄ければ生地が柔らかくなる等の理由により、結ぶときに結び易く、また、結んだ後の結び目が解け難くなる。隣接部１５の生地は、頭覆部１３の生地よりも薄く、例えば頭覆部１３がタオル地であれば隣接部１５はパイルのない布地等にする。また、隣接部１５の生地は軽ければ、隣接部１５で結ぶときに結び易く、また、結んだ後の結び目が解け難くなる。例えばタオル地においては、生地の重量により繊維の密度等が表される。生地が軽ければ、繊維の密度が小さくなって柔らかくなる、又は表面が粗くなる等に理由により、結ぶときに結び易く、また、結んだ後の結び目が解け難くなる。なお、頭覆部１３の生地の厚さは一部が薄くても良い。生地（特に結び目相当部１５ｋの生地）が薄ければ、又は軽ければ結び目５０を小さく又は軽くすることが出来る。結び目５０を小さく又は軽くすれば、繊維製品１０の上からさらにヘルメット等が被り易くなる。
【００３１】
なお、図２（ａ）のように下側の長辺１０ｂの中央近辺にデザイン（「必  勝」、その他の図では省略した。）を施すことにより、頭に繊維製品１０を被る際に、このデザインを基準にして長辺１０ｂの中央を把握でき、頭に被り易くなる。
【００３２】
図３は第一実施形態に係る繊維製品の他の例で頭を覆って結び合わせることによりこの繊維製品を頭に被った状態図であり、（ａ）は後から見た図、（ｂ）は斜め後から見た図である。繊維製品１０よりも短辺の長い繊維製品を頭に被ると、後頭部が跳ね上がらなくなる。図２では頭に被った繊維製品１０の下辺１３ａ付近が跳ね上がっている。
【００３３】
（第二実施形態）
図４は、第二実施形態に係る繊維製品の一例を示す図である。
【００３４】
第二実施形態と第一実施形態の異なる点は、隣接部の形状が異なるということである。すなわち、繊維製品１０Ａの隣接部１５Ａは、結び目相当部１５ｋを含むように、頭覆部１３との境界１３ｒの上端１５ａが下端１５ｂよりも長辺方向の内側に位置する形状で頭覆部１３に隣接し、隣接部１５Ａの生地を頭覆部１３の生地よりも薄く又は軽くしたが、隣接部１５Ａの形状を略ハの字形状にはしていない。
【００３５】
繊維製品１０Ａの頭覆部１３の外側すべてが生地の薄い又は軽い隣接部１５Ａとなる。隣接部１５Ａは繊維製品１０Ａを切り口の上端（すなわち境界の上端１５ａ）が下端（すなわち境界の上端１５ｂ）よりも長辺方向の内側に位置するように短辺方向で斜めに切り取った形状を有する。
【００３６】
第二実施形態に係る繊維製品１０Ａでは、頭覆部１３の外側すべてが生地の薄い又は軽いので、端部１７に対応する部分を含む結び合わせ部全体を小さく、軽く出来る。結び合わせ部全体を小さく又は軽くすれば、繊維製品１０の上からさらにヘルメット等が被り易くなる。また、頭覆部１３の外側すべてが生地の薄い又は軽いので、結び易くなる。なお、繊維製品１０Ａの下側の長辺１０ｂの中央を額に当てて頭を覆い、繊維製品１０Ａの長辺１０ｂの端部付近をつまんで後頭部で結び合わせて、繊維製品１０Ａを頭に被る場合があるが、この場合でも、結び目相当部が薄い又は軽い生地の部分になるので、繊維製品１０Ａが結び易く、ほどけ難くなる。
【００３７】
その他の部分の説明については、第一実施形態に準じるので説明を省略する。
【００３８】
（第三実施形態）
図５は、第三実施形態に係る繊維製品の一例を示す図である。
【００３９】
第三実施形態と第一実施形態の異なる点は、端部の形状が異なるということである。繊維製品１０よりも繊維製品１０Ｂの方が、長辺が短い。頭の大きさや結び目相当部１５ｋ等を考慮して隣接部１５や頭覆部１３の形状、大きさを決定するので、繊維製品１０Ｂの長辺の長さが代わっても、隣接部１５や頭覆部１３の形状、大きさは変更せずに、端部１７Ｂの形状を変化させればよい。
【００４０】
第三実施形態に係る繊維製品１０Ｂでは、端部１７Ｂが小さいので、端部１７Ｂを含む結び合わせ部全体を小さく、軽く出来る。
【００４１】
その他の部分の説明については、第一実施形態に準じるので説明を省略する。
【図面の簡単な説明】
【００４２】
【図１】第一実施形態に係る繊維製品の一例を示す図である。
【図２】第一実施形態に係る繊維製品の一例で頭を覆って結び合わせることによりこの繊維製品を頭に被った状態図であり、（ａ）は正面から見た図、（ｂ）は後から見た図、（ｃ）は横から見た図、（ｄ）は斜め後から見た図である。
【図３】第一実施形態に係る繊維製品の他の例で頭を覆って結び合わせることによりこの繊維製品を頭に被った状態図であり、（ａ）は後から見た図、（ｂ）は斜め後から見た図である。
【図４】第二実施形態に係る繊維製品の一例を示す図である。
【図５】第三実施形態に係る繊維製品の一例を示す図である。
【符号の説明】
【００４３】
１０、１０Ａ，１０Ｂ      繊維製品
１３                      頭覆部
１３ｒ                    境界
１５、１５Ａ              隣接部
１５ｋ                    結び目相当部
【要約】
【課題】
結び難い、結び目が解け易い等の不都合を解消し、かつ生地の厚い又は重い頭覆部を大きく取ることのできる繊維製品を提供する。
【解決手段】
本発明に係る繊維製品は、頭を覆って結び合わせることにより頭に被ることが可能な長方形の繊維製品であって、頭を覆う部分に相当する頭覆部と、頭を覆って結び合わせた場合に形成される結び目に相当する結び目相当部を含むように、前記頭覆部との境界の上端が下端よりも長辺方向の内側に位置する形状で前記頭覆部に隣接する隣接部とを有し、前記隣接部の生地を前記頭覆部の生地よりも薄く又は軽くしたことを特徴とする
【選択図】図１【図１】
0004075963.tif 000002
【図２】
0004075963.tif 000003
【図３】
0004075963.tif 000004
【図４】
0004075963.tif 000005
【図５】
0004075963.tif 000006